(57)【要約】【課題】ブレーカーが通電中のときには安全カバーにより端子台に対する配線作業を行うことができないほか、安全カバーの取り外しも簡単にはできないブレーカーと端子台とを備えるユニットパネルの提供。【解決手段】筐体側への取付けを自在に形成されたパネル１１に設けた開口部１３，１４から各前面５３，６３側の必要部位を表出させて下には端子台５２を、その上にはブレーカー６２をそれぞれ配置するとともに、端子台５２の前面５３側にその開閉を自在に覆設される安全カバー３２は、ブレーカー６２の前面６３に配設された電路開閉用の操作スイッチ６４が電路閉成時に突出する下側操作部６５に開方向への動きが阻害され、該下側操作部６５が電路開成時に押し込まれて上側操作部６６が突出した際に開方向への動きが許容される配置関係のもとで、パネル１２に配設した。【選択図】図１
2004127766.tif 000002
【特許請求の範囲】
【請求項１】
筐体側への取付けを自在に形成されたパネルに設けた開口部から各前面側の必要部位を表出させて下には端子台を、その上にはブレーカーをそれぞれ配置して前記パネル側に取り付けるとともに、
端子台の前記前面側にその開閉を自在に覆設される安全カバーは、ブレーカーの前記前面に配設された電路開閉用の操作スイッチが電路閉成時に突出する下側操作部に開方向への動きが阻害され、該下側操作部が電路開成時に押し込まれて上側操作部が突出した際に開方向への動きが許容される配置関係のもとで、前記パネルを介して配設したことを特徴とするブレーカーと端子台とを備えるユニットパネル。
【請求項２】
前記安全カバーは、少なくとも前記端子台が備える各端子部を同時に覆う略方形を呈するカバー本体部と、該カバー本体部のそれぞれの下隅部の縦縁から外方に延設された左右一対の板状突片と、前記カバー本体部のそれぞれの上隅部の前記縦縁と横縁とから外方に略Ｌ字状に延設された左右一対の板状支軸片とを備え、
前記パネル側には、前記端子台側に前記安全カバーを覆設する際の前記板状突片の導入と所定のストロークでの落とし込みとが自在な下側ガイド溝と、同じストロークでの前記板状支軸片の各別の落とし込みが自在な上側ガイド溝とをそれぞれ設けるとともに、各上側ガイド溝の上端には、安全カバーが開操作のために引き上げられて板状突片が前記下側ガイド溝側から離脱する際に前記板状支軸片を導入して回転自在に軸支する軸支穴部を設けた請求項１に記載のブレーカーと端子台とを備えるユニットパネル。
【請求項３】
前記パネルには、所定位置にて開状態にある前記安全カバーが挟着される一対の挟持片を配設した請求項２に記載のブレーカーと端子台とを備えるユニットパネル。
【請求項４】
前記安全カバーは、少なくとも前記端子台が備える各端子部を同時に覆う略方形を呈するカバー本体部と、該カバー本体部の縦縁方向に沿わせて各上隅の上方に延設された軸受け用の一対の支腕部と、前記パネル側への止着を自在に各下隅部に配設された雄ねじ材とを備え、
前記パネル側には、安全カバーを前記支腕部を介して回転自在に軸支する支軸部と、その覆設時に前記雄ねじ材との螺合が自在な雌ねじ部と、所定位置にて開状態にある前記安全カバーが挟着される一対の挟持片とを付設した請求項１に記載のブレーカーと端子台とを備えるユニットパネル。
【発明の詳細な説明】
【０００１】
【発明の属する技術分野】
本発明は、作業時における安全性確保の観点からブレーカーが電路開成状態にある給電遮断時に限り端子台に対する配線を行うことができるようにしたブレーカーと端子台とを備えるユニットパネルに関する技術である。
【０００２】
【従来の技術】
図８（ａ）は、従来からあるブレーカーと端子台とを備えるユニットパネルの一例を示す斜視図であり、図８（ｂ）は、その断面構造の概要を示す説明図である。
【０００３】
これらの図によれば、筐体側への取付けを自在に形成されるパネルユニット１は、パネル２が備える開口部３から前面側を表出させて下には複数個の端子部６を有する端子台５を、その上には電路開閉用の操作スイッチ８を備えたブレーカー７をそれぞれ位置させてパネル２側に取り付けて形成されている。
【０００４】
また、端子台５は、透明樹脂材製の安全カバー９によりその全面が覆われており、これにより端子部６が露出しないように配慮されている。
【０００５】
【発明が解決しようとする課題】
しかし、この場合における安全カバー９は、パネル２の開口部３側に単に着脱自在に覆い被せてあるに過ぎず、ブレーカーが電路を閉成している通電時であっても、安全カバー９を取り外して端子部６に対する配線作業ができることになり、安全製確保の観点からの構造的な改善が求められていた。
【０００６】
また、安全カバー９は、パネル２側に対して着脱自在に配設されるものであることから、簡単に外されてしまったり、配線作業中に紛失してしまうなどの不都合もあった。
【０００７】
本発明は、従来技術にみられた上記課題に鑑み、ブレーカーが電路を閉成している通電中には安全カバーに邪魔されて端子台に対する配線作業を行うことができないばかりでなく、パネル側からの安全カバーの取り外しも簡単にはできないブレーカーと端子台とを備えるユニットパネルを提供することを目的とする。
【０００８】
【課題を解決するための手段】
本発明は、上記目的を達成するためになされたものであり、筐体側への取付けを自在に形成されたパネルに設けた開口部から各前面側の必要部位を表出させて下には端子台を、その上にはブレーカーをそれぞれ配置して前記パネル側に取り付けるとともに、端子台の前記前面側にその開閉を自在に覆設される安全カバーは、ブレーカーの前記前面に配設された電路開閉用の操作スイッチが電路閉成時に突出する下側操作部に開方向への動きが阻害され、該下側操作部が電路開成時に押し込まれて上側操作部が突出した際に開方向への動きが許容される配置関係のもとで、前記パネルを介して配設したことに構成上の特徴がある。
【０００９】
本発明における前記安全カバーは、少なくとも前記端子台が備える各端子部を同時に覆う略方形を呈するカバー本体部と、該カバー本体部のそれぞれの下隅部の縦縁から外方に延設された左右一対の板状突片と、前記カバー本体部のそれぞれの上隅部の前記縦縁と横縁とから外方に略Ｌ字状に延設された左右一対の板状支軸片とを備え、前記パネル側には、前記端子台側に前記安全カバーを覆設する際の前記板状突片の導入と所定のストロークでの落とし込みとが自在な下側ガイド溝と、同じストロークでの前記板状支軸片の各別の落とし込みが自在な上側ガイド溝とをそれぞれ設けるとともに、各上側ガイド溝の上端には、安全カバーが開操作のために引き上げられて板状突片が前記下側ガイド溝側から離脱する際に前記板状支軸片を導入して回転自在に軸支する軸支穴部を設けておくのが好ましい。この場合、前記パネルには、所定位置にて開状態にある前記安全カバーが挟着される一対の挟持片を配設しておくのが望ましい。
【００１０】
また、本発明における前記安全カバーは、少なくとも前記端子台が備える各端子部を同時に覆う略方形を呈するカバー本体部と、該カバー本体部の縦縁方向に沿わせて各上隅の上方に延設された軸受け用の一対の支腕部と、前記パネル側への止着を自在に各下隅部に配設された雄ねじ材とを備え、前記パネル側には、安全カバーを前記支腕部を介して回転自在に軸支する支軸部と、その覆設時に前記雄ねじ材との螺合が自在な雌ねじ部と、所定位置にて開状態にある前記安全カバーが挟着される一対の挟持片とを付設して形成することもできる。
【００１１】
【発明の実施の形態】
図１は、本発明の一例をその一部を分解して示す全体斜視図であり、ユニットパネル１１の全体は、図示しない筐体側への取付けを自在に形成された絶縁性のパネル１２と、該パネル１２に設られている開口部１３，１４からそれぞれの前面５３，６３側の必要部位、つまり開口部１３からは各端子部５４を、開口部１４からは操作スイッチ６４を表出させて下から順に取り付けられた端子台５２及びブレーカー６２と、端子台５２の前面５３側にその開閉を自在に覆設される透明樹脂材などからなる絶縁性の安全カバー３２とで構成されている。
【００１２】
また、本発明における安全カバー３２は、ブレーカー６２の前面６３に配設された電路開閉用のシーソスイッチなどからなる操作スイッチ６４が電路閉成時に突出する下側操作部６５に開方向への動きが阻害され、該下側操作部６５が電路開成時に押し込まれて上側操作部６６が突出した際に開方向への動きが許容される配置関係のもとで、パネル１２に配設されている。
【００１３】
これを図１に示す例に基づいてより詳しく説明すれば、安全カバー３２は、端子台５２が隔壁５５を介して個別に備える各端子部５４を同時に覆う略方形を呈するカバー本体部３３と、該カバー本体部３３のそれぞれの下隅部３６の縦縁３３ａの側から外方に各別に延設された左右一対の板状突片３７，３７と、カバー本体部３３のそれぞれの上隅部３８の縦縁３３ａと横縁３３ｂとから外方に各別に略Ｌ字状に延設された左右一対の板状支軸片３９，３９とを備えて形成されている。
【００１４】
この場合、カバー本体部３３は、面板部３４とその周囲に配設される側板部３５とで、内部に空間域を確保できる立体形状を呈して形成されており、これらのうちの下側と上側とに位置する各側板部３５は、それぞれ前下がりの傾斜が付与されて形成されている。なお、図中の符号４０は、抓み片を示す。
【００１５】
また、パネル１２の開口部１３における左側部と右側部とには、端子台５２側に安全カバー３２を覆設する際の板状突片３７の導入と所定のストロークでの落とし込みが自在に形成された下側ガイド溝１５が対となって各別に設けられている。
【００１６】
この場合、下側ガイド溝１５は、安全カバー３２により端子台５２側を覆う際にその板状突片３７を導入するために必要な導入口部１６と、導入後の板状突片３７を保持すべく導入口部１６と連通させてその落とし込みを自在に設けられた下側保持溝部１７とを備えて形成されている。
【００１７】
さらに、パネル１２の開口部１４近傍にてその面方向から立設されている左右の側壁部１８には、板状突片３７と同じストロークのもとでの板状支軸片３９の各別の落とし込みを自在に形成された上側ガイド溝１９が対となって各別に設けられている。
【００１８】
しかも、上側ガイド溝１９は、安全カバー３２で端子台５２側を覆った際にその板状支軸片３９が落とし込まれて保持される上側保持溝部２０と、安全カバー３２が開操作のために引き上げられて板状突片３７が下側ガイド溝１５側からその導入口部１６を経て離脱する際に、板状支軸片３９を導入して回転自在に軸支する軸支部２１とを備えて形成されている。
【００１９】
この場合における軸支部２１は、板状支軸片３９が略Ｌ字形を呈していることとの関係で、側壁部１８にその直交方向に設けられて縦縁３３ａ側の軸回転を許容する略円形を呈する軸穴部２１ａと、パネル部１２の面方向に設けられて横縁３３ｂ側の軸回転を許容する凹陥部２１ｂとからなり、連通させたこれら軸穴部２１ａと凹陥部２１ｂとで板状支軸片３９を回転自在に軸支できるようになっている。
【００２０】
さらに、軸穴部２１ａの上方に位置する左右の側壁部１８には、ブレーカー６２の操作スイッチ６４における下側操作部６５が押し込まれて上側操作部６６を突出させた電路が開成された遮断時に開状態とした安全カバー３２が、所定位置である操作スイッチ６４の突出している上側操作部６６と当接する位置にて挟着される一対の挟持片２２，２２が配設されている。
【００２１】
図５は、本発明の他例をその一部を分解して示す全体斜視図であり、ユニットパネル１１の全体は、図示しない筐体側への取付けを自在に形成された絶縁性のパネル１２と、該パネル１２に設られている開口部１３，１４からそれぞれの前面５３，６３側の必要部位、つまり開口部１３からは各端子部５４を、開口部１４からは操作スイッチ６４をそれぞれ表出させて下から順に取り付けられた端子台５２及びブレーカー６２と、端子台５２の前面５３側にその開閉を自在に覆設される透明樹脂材などからなる絶縁性の安全カバー４２とで構成されている。
【００２２】
これを図５に示す例に基づいてより詳しく説明すれば、安全カバー４２は、面板部４４とその左右に配設される側板部４５と、下側に配設された斜面部４６とからなるカバー本体部４３により内部に空間域を確保できる立体形状を呈して形成されている。さらに、安全カバー４２は、カバー本体部４３の縦縁４３ａ方向に沿わせて各上隅４７の上方に延設された軸受け用の一対の支腕部４８，４８と、パネル１２側への止着を自在に各下隅部４９に配設された雄ねじ材５０とを備えて形成されている。なお、図中の符号５１は、抓み片を示す。
【００２３】
また、パネル１２には、安全カバー４２を支腕部４８を介して回転自在に軸支する一対の支軸部２４，２４と、その覆設時に雄ねじ材５０との螺合が自在な雌ねじ部２５と、所定位置にて開状態にある安全カバー４２が挟着される一対の挟持片２６，２６とが付設されている。
【００２４】
次に、本発明の作用・効果を図１に示す例について説明すれば、図１に示すブレーカー６２のように電路開閉用の操作スイッチ６４の下側操作部６５が電路遮断のために押し込まれて上側操作部６６が突出している状態にあるときは、図２に示すように下側操作部６５に邪魔されることなく安全カバー３２の板状支軸片３９をパネル１２の軸支穴部２１の位置にまでまで引き上げることができる。
【００２５】
安全カバー３２は、この位置にまで引き上げられることにより、その板状突片３７も下側保持溝１７と導入口部１６とを経て下側ガイド溝１５側から離脱させることができるので、軸支部２１内に到達した板状支軸片３９を介してその開操作を円滑に行うことができる。
【００２６】
このようにして開操作が行われた安全カバー３２は、図３に示すように突出している上側操作部６６との関係で定まる所定位置にまで移動させることにより、パネル１２に付設されている一対の挟持片２２，２２を介して挟着させてその状態を維持させておくことができる。
【００２７】
このため、作業者は、安全カバー３２を開けて表出させた各端子部５４に対し電路が遮断された安全な状態のもとで配線作業を円滑に行うことができる。
【００２８】
一方、図４（ａ）に示されているように操作スイッチ６４の上側操作部６６が押し込まれて電路が閉成された通電時にあっては、図４（ｂ）に示されているよう突出している下側操作部６５に邪魔されて安全カバー３２の板状支軸片３９をパネル１２の軸支穴部２１の位置にまでまで引き上げてやることができない。
【００２９】
このため、安全カバー３２は、依然として各端子部５４を覆った状態を維持することになり、作業者による配線作業を一切行うことができず、通電時の配線作業に伴う事故の発生を確実に防止することができる。
【００３０】
一方、本発明の作用・効果を図５に示す例について説明すれば、図６（ａ）に示すブレーカー６２のように電路開閉用の操作スイッチ６４の上側操作部６６が通電のために押し込まれて下側操作部６５が突出している状態にあるときは、各端子部５４を覆っている安全カバー４２が備える雄ねじ材５０を用いてパネル１２の雌ねじ部２５に図６（ｂ）に示すように螺着しておくことにより、安全カバー４２を開けることができないようにしておくことができる。
【００３１】
このようにブレーカー６２が通電状態にあるときに、仮に安全カバー４２がパネル１２側に螺着されておらず、これを開けることができたとしても、図７（ａ）に示すように突出している下側操作部６５にぶつかってしまう。
【００３２】
このため、安全カバー４２は、パネル１２が備える挟持片２６に挟着させてやることができず、手を離せば自動的に端子部４２の側に戻って再度覆ってしまうことになるので、作業者が単独で配線作業を行うことができず、通電時の配線作業に伴う事故の発生を確実に防止することができる。
【００３３】
しかし、ブレーカー６２の電路開閉用の操作スイッチ６４の下側操作部６５が電路遮断のために押し込まれて上側操作部６６が突出している状態にあるときは、図７（ｂ）に示すように下側操作部６５に邪魔されることなく安全カバー４２をパネル１２が備える一対の挟持片２６，２６の位置にまで回転移動させて挟着させることにより、開状態を維持させておくことができる。
【００３４】
このため、作業者は、安全カバー４２を開けて表出させた各端子部５４に対し電路が遮断された安全な状態のもとで配線作業を円滑に行うことができる。
【００３５】
【発明の効果】
以上述べたように本発明によれば、端子台側を覆う安全カバーは、ブレーカーの電路開閉用の操作スイッチが電路閉成時に突出する下側操作部に開方向への動きが阻害され、該下側操作部が電路開成時に押し込まれて上側操作部が突出した際に開方向への動きが許容される配置関係のもとで、パネルに配設されているので、常に電路遮断時にのみ端子台に対する配線作業ができることになり、通電時の配線作業に伴う事故の発生を確実に防止することができる。
【００３６】
しかも、安全カバーは、パネルに対し取り外し困難に取り付けられているばかりでなく、配線作業の必要からに開けた際に常にパネル側に挟着させておくことができるので、作業中に誤って紛失することをなくすこともできる。
【図面の簡単な説明】
【図１】本発明の一例をその一部を分解して示す全体斜視図。
【図２】図１の例についての電路遮断時の安全カバーの動きを断面構造として示す説明図。
【図３】図１の例についての電路遮断時の安全カバーを開けて挟着させた際の状態を断面構造として示す説明図。
【図４】図１の例についての通電時の安全カバーの動きを（ａ），（ｂ）の断面構造として示す説明図。
【図５】本発明の他例をその一部を分解して示す全体斜視図。
【図６】図５の例の通電時における安全カバーの状態を示す説明図であり、そのうちの（ａ）は断面構造として、（ｂ）は全体斜視図としてそれぞれ示す。
【図７】図５の例についての安全カバーを開ける際の状態を断面構造として示す説明図であり、そのうちの（ａ）は通電時の状態を、（ｂ）は電路遮断時の状態をそれぞれ示す。
【図８】ブレーカーと端子台とを備えるユニットパネルの従来例を示す説明図であり、そのうちの（ａ）は斜視図であり、（ｂ）はその断面構造の概要を示す説明図である。
【符号の説明】
１１　ユニットパネル
１２　パネル
１３，１４　開口部
１５　下側ガイド溝
１６　導入口部
１７　下側保持溝部
１８　側壁部
１９　上側ガイド溝
２０　上側保持溝部
２１　軸支部
２１ａ　軸穴部
２１ｂ　凹陥部
２２　挟持片
２３　支軸部
２６　挟持片
３２，３２　安全カバー
３３，４３　カバー本体部
３３ａ，４３ａ　縦縁
３３ｂ　横縁
３４，４４　面板部
３５，４５　側板部
３６　下隅部
３７　板状突片
３８　上隅部
３９　板状支軸片
４０　抓み片
４６　上隅
４７　支腕部
４８　下隅部
４９　雄ねじ部
５０　抓み片
５２　端子台
５３　前面
５４　端子部
５５　隔壁
６２　ブレーカー
６３　前面
６４　操作スイッチ
６５　下側操作部
６６　上側操作部
【図１】
2004127766.tif 000003
【図２】
2004127766.tif 000004
【図３】
2004127766.tif 000005
【図４】
2004127766.tif 000006
【図５】
2004127766.tif 000007
【図６】
2004127766.tif 000008
【図７】
2004127766.tif 000009
【図８】
2004127766.tif 000010